Podtech/llm-jp-corpus-v4-ja_patent huggingface dataset:
(57)【要約】【課題】  本発明は、歯科検診において口腔内を明るく照らし、歯についた唾液や付着物をエアー噴射して取り除き、より正確に検診しやすくするエアー噴射装置付きペンライトを提供するものである。【解決手段】  市販のペンライト（１）の光源のレンズの周りにエアーの噴射管（３）を取り付け、ペンライトのバッテリーが内蔵されている本体の部分に小型の送風装置または小型の圧縮された空気タンク（４）を取り付ける。  ペンライト本体（１）の側面には、エアーを送り出すためのスイッチ（５）が取り付けられている。  スイッチ（５）を指で押すとエアーが噴射され、指を離すとエアーの噴射が止まる仕組みになっている。  スイッチ（５）を押すことによりペンライトの先端のエアー噴射口（２）から光源の照射方向と同じ口腔内の検診歯に向けてエアーが噴射され、検診歯の唾液や付着物を取り除き検診を行いやすくする。【選択図】図１
2019012680.tif 000002
【特許請求の範囲】
【請求項１】
歯科検診において口腔内を明るく照らし、歯についた唾液や付着物をエアー噴射して取り除き、より正確に検診しやすくするエアー噴射装置付きペンライト。
【請求項２】
市販のペンライトの光源のレンズの周りにエアーの噴射管を取り付け、ペンライトのバッテリーが内蔵されている本体の部分に小型の送風装置または小型の圧縮された空気タンクを取り付ける。
【請求項３】
ペンライト本体の側面には、エアーを送り出すためのスイッチが取り付けられている。
スイッチを指で押すとエアーが噴射され、指を離すとエアーの噴射が止まる仕組みになっている。
スイッチを押すことによりペンライトの先端のエアー噴射口から光源の照射方向と同じ口腔内の検診歯に向けてエアーが噴射され、検診歯の唾液や付着物を取り除き検診を行いやすくする。
【発明の詳細な説明】
【技術分野】
【０００１】  本発明は、歯科検診において口腔内を明るく照らし、歯についた唾液や付着物をエアー噴射して取り除き、より正確に検診を行いやすくするエアー噴射装置付きペンライトに関するものである。
【背景技術】
【０００２】  学校歯科検診の現場では１日に１人の検診者が約２００人程度検診しなければならず、口腔内を詳しく１人１人検診するのは時間的制約がある。
基本的に被検者の口腔内は暗く、正確な歯科検診を行うには十分な照明が必要になってくる。
学校歯科検診には、照明器具が備わっているが光量が十分でなく補助的にペンライトが必要になってくる。
【先行技術文献】
【０００３】
【特許文献】
【非特許文献】
【発明の概要】
【発明が解決しようとする課題】
【０００４】  基本的に口腔内は暗く、正確な歯科検診を行うには十分な照明が必要になってくる。
学校歯科検診においては歯科診療所の診療台のような光量が十分な照明器具が備わっているわけでなく補助的にペンライトが必要になってくる。
また近年歯科治療においてレジンやセラミックなどの脱金属化が進んでおり、天然歯との色調が同じで治療の有無の区別がつきにくくなってきている。とくに歯に唾液や付着物がついていると更に区別がつきにくくなる。
本発明は、明るく口腔内を照らしエアーを噴射して検診歯についている唾液や付着物を取り除くことで、より検診を行いやすくするためにエアー噴射装置付きペンライトを提供するものである。
【課題を解決するための手段】
【０００５】  本発明では上記目的を達成するために、次の技術手段を講じている。
市販のペンライトの光源のレンズの周りにエアーの噴射管を取り付け、ペンライトのバッテリーが内蔵されている本体の部分に小型の送風装置または小型の圧縮された空気タンクを取り付ける。
ペンライト本体の側面には、エアーを送り出すためのスイッチが取り付けられている。
スイッチを指で押すとエアーが噴射され、指を離すとエアーの噴射が止まる仕組みになっている。
スイッチを押すことによりペンライトの先端のエアー噴射口から光源の照射方向と同じ口腔内の検診歯に向けてエアーが噴射され、検診歯の唾液や付着物を取り除き検診を行いやすくする。
【発明の効果】
【０００６】  今回開発したエアー噴射装置付きペンライトを使用することで以下の利点が考えられる。
▲１▼ペンライトの光源が直接口腔内を照射することでより明るく正確に検診ができる    。
▲２▼ペンライトの先端から検診歯に向けてエアーを噴射して唾液や付着物を取り除く    ことができるため、極めて小さな疾患や天然歯と同色のレジンやセラミックの充填物    が発見されやすい。
▲３▼道具が小型で軽量なため取り扱いや持ち運びがしやすい。
▲４▼口腔内が明るく唾液や付着物を取り除き検診しやすいため検診者の疲労が軽減で    きる。
今回開発したエアー噴射装置付きペンライトを使用することにより歯科検診がより正確に行え、疾患の早期発見ができるものと考えられる。
【図面の簡単な説明】
【０００７】
【図１】本発明のエアー噴射装置付きペンライトの斜視図である。
【発明を実地するための形態】
【０００８】  以下、本発明の実地の形態について、図面を参照しつつ詳細に説明すれば図１においてエアー噴射装置付きペンライトの構造は、ペンライトの本体（１）とペンライトの光源レンズの周りに取り付けられているエアー噴射管の噴射口（２）とエアー管（３）と小型の送風装置または小型の圧縮された空気タンク（４）と指で押している間だけエアーが噴射されるスイッチ（５）からなる。
【符号の説明】
【０００９】  １  ペンライト本体
２  ペンライトの光源レンズの周りに取り付けられているエアー噴射管の噴射口
３  エアー噴射管
４  小型の送風装置または小型の圧縮されたエアータンク
５  指で押している間だけエアーが噴射されるスイッチ
【図１】
2019012680.tif 000003
(57)【要約】【課題】  メガネをしている人が、マスクをした際に、鼻の両脇にできた隙間から漏れる息によりメガネが曇ってしまう。本発明は、以上の問題点を解決するために考案されたものである。【解決手段】メガネの鼻あてに固定することにより、メガネの鼻あてを下方向に延長することができ、メガネをしている人のマスク上部にできた隙間を、鼻あての下方に延長した部分でマスクの上から押さえ込み、鼻の両脇にできる隙間から漏れる息がメガネにかからないようにすることで、メガネが曇らなくできる、メガネ用鼻あて延長具である。【選択図】図１
2019012247.tif 000002
【特許請求の範囲】
【請求項１】
メガネフレームに設けてある鼻あてに、メガネ用鼻あて延長具を取り付け、メガネ用鼻あて延長具の背面の上下に設けた引っ掛け部に鼻あてを取り付けることによって、鼻あてが下方に延長され、マスクと鼻の両脇にできる隙間をマスクの上から押さえてメガネのフレーム方向に出る息の漏れを止めることができるようにした、マスク装着時のメガネの曇り防止具。
【発明の詳細な説明】
【技術分野】
【０００１】  本発明は、メガネをしている人が、マスクをした際に、自分の息でメガネが曇ることを防止するために考案されたメガネ用鼻あてに関するものである。
【背景技術】
【０００２】  メガネをしている人がマスクをした際に、鼻の両脇にできる隙間から漏れる息によるメガネの曇りを防止するために、マスクの上部に針金やスポンジを取り付けての曇り対策を装備したマスクは、各種販売されていますが、メガネの曇りが防止しきれていないことも多い。
【発明の概要】
【発明が解決しようとする課題】
【０００３】  メガネをしている人が、マスクをした際に、鼻の両脇にできた隙間から漏れる息によりメガネが曇ってしまう。又、マスクに針金を付け、鼻の形状に合わせるものもありますが、鼻の両脇にできた隙間はふさぎきれていません。
本発明は、以上の問題点を解決するためになされたものです。
【課題を解決するための手段】
【０００４】  メガネフレームに設けてある鼻あてにメガネ用鼻あて延長具を取り付け、メガネ用鼻あて延長具の背面の上下に設けられた引っ掛け部に鼻あてを取り付けることによって、鼻あてが下方に延長され、マスクと鼻の両脇にできる隙間をマスクの上から押さえてメガネのフレーム方向に出る息の漏れを止めることができるようにした、マスク装着時のメガネの曇り防止具。
【発明の効果】
【０００５】  下方に延長した鼻あてがマスクの上から直接マスクを押さえることにより、鼻の両脇にできた隙間を無くし、息がメガネにかからないので、メガネの曇りを防ぐことができた。
【図面の簡単な説明】
【０００６】
【図１】本発明使用状態の正面図
【図２】本発明使用状態の側面図
【図３】本発明をメガネの鼻あてに取付けた状態を示す要部拡大図
【発明を実施するための形態】
【０００７】以下、本発明の実施形態を説明する。
（イ）図１に示すように、メガネ用鼻あて延長具１は、通常使用されているメガネのフレ      ーム２に取り付けられている鼻あて３に取付ける。
（ロ）メガネ用鼻あて延長具１は、鼻あて３を包み込むことができる軟質の素材を用い、      鼻４に接する面の反対の面７に、鼻あて３を包み込むことができる引っ掛け部５が      上下に設けられている。
（ハ）図３に示すように、引っ掛け部５の中に鼻あて３を挿入して、メガネ用鼻あて延長      具１は取り付けられる。鼻あて３を挿入する引っ掛け部５は、軟質の素材でできて      いるので、メガネ用鼻あて延長具１は、容易に鼻あて３に着脱することができる。
本発明を使用するときは、メガネ用鼻あて延長具１の引っ掛け部５で鼻あて３を包み込むようにはめ込み固定する。メガネ用鼻あて延長具１が装着されることにより、鼻あて３より、鼻あて部が下方に延長され、マスク６と鼻４の両脇にできる隙間をマスク６の上から押さえて、メガネのフレーム方向に出る息の漏れを止めることができる。
【符号の説明】
【０００８】１  メガネ用鼻あて延長具
２  メガネのフレーム
３  鼻あて
４  鼻
５  引っ掛け部
６  マスク
７  鼻に接する面の反対の面
【図１】
2019012247.tif 000003
【図２】
2019012247.tif 000004
【図３】
2019012247.tif 000005
(57)【要約】【課題】基板内蔵スペースの縮小、コスト削減が可能となる電気掃除機を提供する。【解決手段】充電式の電池組を着脱可能な本体を有する電気掃除機で、充電台は１組の充電回路が内蔵しており、前記本体を接続するための本体用端子と、前記電池組を接続するための電池組用端子があり、前記本体か前記電池組のどちらか一方が接続されたときには、前記充電台内部の切り替え回路によって接続された方の電池組と充電回路を接続し、前記本体と前記充電池を同時に接続したときには、前記本体を優先して充電し、前記本体が満充電になった後、前記切り替え回路により、前記電池組を充電する。【選択図】図１
2019072223.tif 000002
【特許請求の範囲】
【請求項１】
充電式の電池組を着脱可能な本体を有する電気掃除機で、充電台は１組の充電回路が内蔵しており、前記本体を接続するための本体用端子と、前記電池組を接続するための電池組用端子があり、前記本体か前記電池組のどちらか一方が接続されたときには、前記充電台内部の切り替え回路によって接続された方の電池組と充電回路を接続し、前記本体と前記充電池を同時に接続したときには、前記本体を優先して充電し、前記本体が満充電になった後、前記切り替え回路により、前記電池組を充電する電気掃除機。
【請求項２】
前記本体と前記電池組が同時に接続されたとき、それぞれの電池電圧を検知し、電圧の高い方から優先して充電する請求項１に記載の電気掃除機。
【発明の詳細な説明】
【技術分野】
【０００１】
本発明は電気掃除機に関する。
【背景技術】
【０００２】
従来のスティックタイプの充電式掃除機は、１組の二次電池組を搭載していた。運転時間の長時間化、吸い込みパワーの向上を目的とした機種は、電池の大容量化が必要であり、本体の重量増加、本体サイズの大型化に繋がり、結果として、取扱性能の悪化を招く恐れがある。そのため、掃除機本体の重量を増加せず掃除時間を増やすために、本体から電池組を取り外し可能な構造とし、電池組単体を交換することで、掃除時間を延長する製品がある。
【先行技術文献】
【特許文献】
【０００３】
【特許文献１】特開2016-10198号公報
【発明の概要】
【発明が解決しようとする課題】
【０００４】
こうした製品の特長として、電池の充電は本体組に接続した時のみか、電池組単体で充電するための専用充電台があり、本体に組み込んだ状態と電池組単体の状態のどちらか、またはそれぞれに充電台があったため、充電回路をそれぞれに設ける必要があった。基板内蔵スペースの縮小、コスト削減が可能となる電気掃除機の提供を目的とする。
【課題を解決するための手段】
【０００５】
単一の充電台に本体充電用の端子と、電池組充電用の端子を設け、１台の充電台で両方を充電可能とすることに加え、充電台を単一とすることで、充電回路を単一に設け、本体と電池組をそれぞれ接続切り替え用の回路を設ける。
【発明の効果】
【０００６】
基板内蔵スペースの縮小、コスト削減が可能となる電気掃除機を提供することができる。
【図面の簡単な説明】
【０００７】
【図１】スティックタイプ電気掃除機の構成図である。
【図２】充電台の構成図である。
【図３】本体ハンディ部の内部構成図である。
【図４】本体の回路ブロック図である。
【図５】充電時の回路ブロック図である。
【発明を実施するための形態】
【０００８】
以下、本発明を下記の実施例にもとづいて説明する。
【０００９】
図１〜４は本発明の掃除機の全体構成を示す図である。
【００１０】
図１は二次電池を電力源とする充電式スティックタイプの掃除機の斜視図である。本体１と、吸口２とで構成されており、本体１の操作スイッチ３を押下することで、スイッチに対応した運転モードで本体１内の電動送風機６を駆動させ、運転する。図３は本体１の内部概略図である。本体１の内部にはモータ組６(電動送風機６)と、電動送風機６の回転数を制御するためのメイン基板４(制御基板)、スイッチ基板５と、メイン基板４及びモータ組６の電源となる電池組７がある。
【００１１】
図２は掃除機の充電台である。充電台には本体１内部の電池組７を充電するための本体用端子８と、電池組７単体を充電するための電池組単体用端子９とを設ける。
【００１２】
本体１と電池組７がそれぞれ消費された状態で、充電台に双方が接続された時の動作を説明する。図５は充電動作を説明するブロック図である。本体１に組み込んだ状態の電池組７と電池組７単体は、同一の充放電仕様であり、充電電圧／充電電流の定格値は同一のものである。充電台内部には充電回路が１個内蔵されている。この充電回路は前述のとおり、本体１に組み込まれた電池組７、電池組７単体をそれぞれ充電するのに支障のない仕様である。充電台の内部には、本体１が接続されていることを検知する回路と、電池組７単体が接続されたことを検知する回路を設け、双方が同時に接続されているか、一方であれば、どちらかが接続されているかを判別できる回路構成とする。本体用端子８と電池組単体用端子９は共通ＧＮＤで接続され、それぞれのプラス側端子と、充電回路のプラス側ラインとを接続/切断するためのスイッチ回路を設けている。たとえば本体１のみが接続された場合、本体１と充電台の接続を検知し、電池組単体側は接続していないことを判断するため、切り替えスイッチは充電回路と本体１を接続するよう動作し、本体１内部の電池組を充電する。ここで本体１と電池組単体とが接続された場合、双方の接続を検知し、各電池組の優先して本体１側の電池組を充電する。本体１側の電池組が充電完了したことを検知すると、切り替えスイッチを動作させ、電池組単体を充電する。上記のように、充電式の電池組を着脱可能な本体を有する電気掃除機で、充電台は１組の充電回路が内蔵しており、前記本体を接続するための本体用端子と、前記電池組を接続するための電池組用端子があり、前記本体か前記電池組のどちらか一方が接続されたときには、前記充電台内部の切り替え回路によって接続された方の電池組と充電回路を接続し、前記本体と前記充電池を同時に接続したときには、前記本体を優先して充電し、前記本体が満充電になった後、前記切り替え回路により、前記電池組を充電することにより、基板内蔵スペースの縮小、コスト削減が可能となる電気掃除機を提供することができる。
【００１３】
なお、この動作においては、双方の電圧を検知し、電池電圧が低い方、もしくは高い方を優先して充電し、一方が充電完了した時、もう一方の充電に切り替える仕様とすることも可能である。上記のような回路構成とすることで、内蔵する充電回路を１個で２種類の形態の電池組７を充電することが可能なため、生産コストの低減、充電台の小型化を実現した上で、使用者にとっては本体１と電池組７をそれぞれ充電台に接続するだけで自動的に両方の充電が完了する快適性を提供することができる。
【符号の説明】
【００１４】
１  本体
２  吸口
３  操作スイッチ
４  メイン基板
５  スイッチ基板
６  モータ組（電動送風機）
７  電池組
８  本体用端子
９  電池組用端子
【図１】
2019072223.tif 000003
【図２】
2019072223.tif 000004
【図３】
2019072223.tif 000005
【図４】
2019072223.tif 000006
【図５】
2019072223.tif 000007
(57)【要約】【課題】大量調理施設などの衛生規範で設置が求められている爪ブラシは、全員で共用され、長期間使用されるため、衛生的で安全な取り扱いが困難である。病原性微生物汚染も見られる不衛生な爪ブラシで、デリケートな爪先部分や手指の洗浄が行われている現状がある。また、幼児や長い爪のおしゃれを楽しむ人に、爪先の汚れを除去する有効な方法が確立していない状況である。【解決手段】従来の爪ブラシより柔らかい、無膜ポリウレタンフォームを圧縮したものを使用することで、爪先を傷つけず、効果的に爪の汚れを除去することができる。また、小型で安価な製品を提供することで、使い捨てや数回使用など、従来の爪ブラシよりライフサイクルを短縮することで、多数の人による共同使用や病原性微生物汚染のない、衛生的な手洗い補助具を提供できる。【選択図】図１
2019072289.tif 000002
【特許請求の範囲】
【請求項１】
無膜ポリウレタンフォームを支軸に圧着すると、密集した断面がブラシ状になることを利用して、従来の爪ブラシより安全に、効果的に爪先を洗浄する洗浄補助具。
【請求項２】
柔らかめのスポンジと組合わせて支軸に更に圧着された、請求項１に記載の手指洗浄用補助具。
【発明の詳細な説明】
【技術分野】
【０００１】
本発明は、爪先を安全かつ衛生的に洗浄するために、圧縮した無膜ポリウレタンフォームを使用する手洗い補助具に関する。
【背景技術】
【０００２】
従来の手洗い補助具として使用されている爪ブラシは、爪の汚れを除去する目的で使用する際に、ブラシの毛先が爪内部や手の甲の柔らかい皮膚を傷つける恐れがあった（例えば、特許文献１参照。）
【０００３】
従来の製造方法で製造された爪ブラシは、ブラシの毛が密集した部分に汚れが蓄積しやすく、不衛生になりやすい。さらに、食品を取り扱う施設や厨房では、全員で共同使用される場合が多く、病原性微生物による手の汚染や、皮膚トラブルの可能性が懸念される状況である。
【先行技術文献】
【特許文献】
【０００４】
【特許文献１】特開２０１６−１８５３１６号
【発明の概要】
【発明が解決しようとする課題】
【０００５】
従来から使用されている爪ブラシでは、ブラシの毛先で汚れを掻き出すことを原理としているため、固めのブラシを使用することが多く、毛先で皮膚表皮を傷つけると、皮膚炎や皮膚の硬化につながる危険がある。
【０００６】
大量給食施設など食品を取り扱う施設では、爪ブラシを使って手洗いすることが衛生規範で定められているが、多人数で劣化するまで共用する爪ブラシを衛生的に管理することは困難で、微生物検査において高頻度で病原性微生物汚染が検出される。
【０００７】
免疫力の低い幼児や、爪を長くしている人は、爪先に蓄積した汚れが健康被害につながる恐れがある。皮膚を傷つけず、手軽に衛生的に使用できる手洗い補助具の開発が求められる。
【０００８】
本発明は、従来の爪ブラシより安全に、効果的に爪先部分を洗浄できることを目的とする。
【０００９】
他の構造として、柔らかめのスポンジと組み合わせることにより、洗剤の起泡性を高めることができ、手洗い時の洗浄効果を向上できるように企画した。
【課題を解決するための手段】
【００１０】
無膜ポリウレタンフォームを支軸に圧着すると、切断面のスポンジ構造部分がブラシ状になる。これを使用して、爪先の汚れを除去する手指洗浄用補助具。
【発明の効果】
【００１１】
ブラシに代わり、無膜ポリウレタンフォームを圧縮して使用するため、ブラシの毛先による皮膚への負担が少なく、爪先に詰まった汚染に対し効果的に洗浄除去することができる。
【００１２】
無膜ポリウレタンフォームを圧縮した部分は、豊富なスポンジの種類から、使用対象者によりサイズや硬さを調整でき、幼児や爪の長い人にも適した洗浄補助具を提供することができる。
【００１３】
本発明に使用する無膜ポリウレタンフォームは、広く日用品に使用されている安価な素材であり、個人で数回利用や、使い捨てとして商品化できるものであるため、従来の爪ブラシでの病原菌汚染の原因である、多人数での共用や長期使用による汚染を改善できる。
【図面の簡単な説明】
【００１４】
【図１】無膜ポリウレタンフォームを圧縮した部分を含む、手洗い補助具のイメージ。
【図２】無膜ポリウレタンフォームを圧縮した部分を含む、爪先洗浄用スポンジブラシのイメージ。
【図３】使用例の図
【図４】爪先洗浄方法のイメージ。
【図５】無膜ポリウレタンフォームを支軸に圧縮することで、切り口が密集した部分がブラシ状になるイメージ図。
【図６】柔らかめのスポンジと共に圧縮後の態様図（断面図）
【発明を実施するための形態】
【００１５】
１×１×３．５センチメートル角程度の無膜ポリウレタンフォームを、２×０．８×３程度の柔らかめのスポンジと共に、７センチメートルの支軸に数か所穴をあけ、ポリエステルの糸で縫い付けて圧着する（圧着方法はこの方法に限るものではない）。圧着前と圧縮後のブラシ部分のイメージを図５に、柔らかいスポンジと合わせて支軸に圧着した断面のイメージを図６に示す。
【実施例】
【００１６】
無膜ポリウレタンフォームを圧縮したブラシ状の部分に爪先を当て、爪の内部に付着した汚れや、爪周辺や手のしわに付着した汚れを除去する。
【００１７】
ブラシに代わり、無膜ポリウレタンフォームを圧縮して使用するため、ブラシの毛先による皮膚への負担が少なく、爪先に詰まった汚染に対し効果的に洗浄除去することができる。
【００１８】
無膜ポリウレタンフォームを圧縮した部分は、豊富なスポンジの種類から、使用対象者によりサイズや硬さを調整でき、幼児や爪の長い人にも適した洗浄補助具を提供することができる。
【００１９】
本発明に使用する無膜ポリウレタンフォームは、広く日用品に使用されている安価な素材であり、個人で数回利用や、使い捨てとして商品化できるものであるため、従来の爪ブラシでの病原菌汚染の原因である、多人数での共用や長期使用による汚染を改善できる。
【産業上の利用可能性】
【００２０】
当発明品に使用する無膜ポリウレタンフォームは、一般的な材質であり、使用量も少量である。製造には圧着方法に工夫が必要であるが、安価に使用対象者に合わせた製品を提供でき、それは、食品を扱う作業者の手指の衛生状況の向上や、砂場遊びや用便等で汚染される、幼児を含む人の手指の衛生状況を改善することができる。
【符号の説明】
【００２１】
１  爪先洗浄部分の無膜ポリウレタンフォーム圧縮部分
２  爪先や手指の洗浄を補助するスポンジ部分
３  スポンジを取り付ける支軸部分
【図１】
2019072289.tif 000003
【図２】
2019072289.tif 000004
【図３】
2019072289.tif 000005
【図４】
2019072289.tif 000006
【図５】
2019072289.tif 000007
【図６】
2019072289.tif 000008
(57)【要約】【課題】杖と傘を容易に自在に、取り扱う事が可能で、手荷物としての負担を軽減し、乗車時にも傘を置き忘れたりせず、天候不順でも気楽に外出できる事を目的として、杖に非透過性の硬質合成樹脂製の傘収納具を取り付けた。【解決手段】杖に、既存の多様な長さの傘を、出し入れが容易に自在に収納可能な、非透過性の硬質合成樹脂製の筒状の傘収納具と、その傘収納具の底に、透過性の硬質合成樹脂製の底網を取り付けた事により、手荷物としての物数を軽減し、脱落及び傘の置き忘れ等による紛失防止となり、傘の出し入れが容易に自在にできるようになった。【選択図】図１
2019072439.tif 000002
【特許請求の範囲】
【請求項１】
傘収納具を備え、この傘収納具は、杖軸に、この杖軸を囲むように取り付けられ、上下両端が開いた非透過性の筒状体と、この筒状体の下端に取り付けられた網状体とを有する杖。
【請求項２】
前記筒状体は、硬質合成樹脂製である請求項１に記載の杖。
【請求項３】
前記網状体は、硬質合成樹脂製である請求項１または２に記載の杖。
【発明の詳細な説明】
【技術分野】
【０００１】  本発明は、傘収納具の付いた杖に関する。
【背景技術】
【０００２】  従来の杖には、杖の中に傘を収蔵可能な中空を設けたものがあった。（例えば、特許文献１参照）
【先行技術文献】
【特許文献】
【０００３】
【特許文献１】特開２００１−７００２１号  公報
【発明の概要】
【発明が解決しようとする課題】
【０００４】  従来の杖の問題点は、杖の中に中空を設けた別誂えの杖であるため、傘も別誂えの必要  があり、傘を使用する時は、杖の持ち手部分のネジを回して取り出す必要があった。
故に高齢者には、他に荷物がある場合、出し入れが不自由であり、傘を杖の中に入れ忘  れたりした。【０００５】  本発明は、手荷物としての物数を軽減する事と、杖使用時の傘の取り扱いについて、出し入れが容易に自在にできるようにする事を目的としたものである。
【課題を解決するための手段】
【０００６】  第１の手段は、既存の多様な長さの傘に対応する事を目的として、雨樋に使用されている筒状の非透過性の硬質合成樹脂製の竪樋を、傘収納具として寸断して、杖に取り付けた。【０００７】  また、第２の手段は、出し入れが容易に自在にできるような、傘収納具を取り付けた杖である事を目的として、筒状の非透過性の硬質合成樹脂製の雨樋用の竪樋を、上部開放の状態で取り付けた。【０００８】  更に、第３の手段は、傘の脱落防止と、水滴の除去を目的として、透過性の硬質合成樹脂製の網目状の物を裁断して、底網として取り付けた。
【発明の効果】
【０００９】上述したように本発明の傘収納具付き杖は、杖に非透過性の硬質合成樹脂製の傘収納具と、透過性の網目状の硬質合成樹脂製の底網を取り付けた事により、傘の脱落を防止し、水滴の除去と水滴による腐蝕の防止が期待できる。【００１０】そして杖と傘を一体化させ、傘収納具の上部を開放して使用する事により、既存の多様な長さの傘に対応可能であり、開放されている上部から、傘を出し入れするので、傘の有り様がすぐにわかる為、傘の置き忘れも防止可能である。
【図面の簡単な説明】
【００１１】
【図１】  本発明の実施形態における傘収納具を取り付けた杖の全体図。
【図２】  同実施形態における、傘収納具の底部付近の網部の図。
【発明を実施するための形態】
【００１２】  以下、本発明の実施の形態を図１〜図２に基づいて説明する。
【００１３】  図１においては、傘収納具付き杖の全体図であり、１は傘収納具の中に、杖を接着剤と針金５で固定して取り付けた杖である。
【００１４】  更に図１において２は非透過性の硬質合成樹脂製の直径６センチメートルの雨樋用の竪樋を寸断して、傘収納具として取り付けたものである。
【００１５】  杖は、傘収納具２の底部が、杖を地面に立てた状態から、下部約４センチメートルの位置に、傘収納具２の底部が位置するように、傘収納具２の寸法分だけ接着剤を杖に塗り取り付ける。
【００１６】  更に取り付けた杖１を固定するために、傘収納具２の上部から、２センチメートルの下部に、横並びに穴を開けて、針金５を内側から外側へ回し入れて、内側で綴じる。傘収納具２の下部も上部と同様にする。その上から尖りをなくす事としっかり固定する目的のために、接着剤を塗布する。
【００１７】  図２においては傘収納具２の透過性の硬質塩化ビニール製の網目状の底網付近で、杖を取り付けた状態で型取りして底網３とした物を、針金を４のようにその型取りした底網３に通して傘収納具２の内側から外側へ回し入れて、内側で綴じる。
【００１８】  傘収納具２と針金４を取り付けた部分をしっかりと固定する目的のために、底網３にも開いている底網３の網目を塞いでしまわないように、傘収納具の内側と底網を取り付けている部分に接着剤を塗布する。
【符号の説明】
【００１９】      １  杖
２  傘収納具
３  傘収納具の底部付近の網部
４  底網に取り付けた針金
５  傘収納具と杖を綴じた針金
【図１】
2019072439.tif 000003
【図２】
2019072439.tif 000004
【手続補正書】
【提出日】平成30年4月6日(2018.4.6)
【手続補正１】
【補正対象書類名】特許請求の範囲
【補正対象項目名】請求項１
【補正方法】変更
【補正の内容】
【請求項１】
傘収納具を備え、この傘収納具は、杖軸に、この杖軸を囲むように取り付けられ、
上下両端が開いた、非透水性の筒状体と、この筒状体の下端に取り付けられた網状体を有する杖。
【手続補正２】
【補正対象書類名】明細書
【補正対象項目名】０００６
【補正方法】変更
【補正の内容】
【０００６】
第１の手段は、既存の多様な長さの傘に対応する事を目的として、雨樋に使用されている筒状非透水性の硬質合成樹脂製の竪樋を、傘収納具として寸断して、杖に取り付けた。
(57)【要約】【課題】  二つのリングに支軸部を備えたペニス補強器具を提供する。【解決手段】  夫々６個の大ビーズと小ビーズを、交互に数珠繋ぎに、伸縮ゴム性の連結紐でリング状に形成された二つのビーズリングが、相互に約６ｃｍ〜７ｃｍの間隔を置いて左右に並立し置いた状態において、各々における一組の対向的な大ビーズ同士が平行的に支軸部で連結され、夫々の支軸の中央部に一個の大ビーズで成る支軸中間ビーズを設けてあり、支軸部において、左右両端の大ビーズを結びつける軸芯は、中央部の支軸中間ビーズの通し穴とその両側を埋めるソフトなゴム性の軸管の中を貫通しており、支軸中間ビーズは支軸部の中央に収めるために、ゴム性の軸管がストッパーとして設けられ、ビーズリングの内径は凡そペニス膨張時の太さに相応し、太さの個人差があっても連結紐の伸縮性で柔軟な装着感を生むことが出来ることを特徴とするペニス補強器具。【選択図】図１
2019072437.tif 000002
【特許請求の範囲】
【請求項１】
夫々６個の大ビーズと小ビーズを、交互に数珠繋ぎに、伸縮ゴム性の連結紐でリング状に形成された二つのビーズリングが、相互に約６ｃｍ〜７ｃｍの間隔を置いて左右に並立し置いた状態において、
各々における一組の対向的な大ビーズ同士が平行的に支軸部で連結され、
夫々の支軸の中央部に一個の大ビーズで成る支軸中間ビーズを設けてあり、
支軸部において、
左右両端の大ビーズを結びつける軸芯は、中央部の支軸中間ビーズの通し穴とその両側を埋めるソフトなゴム性の軸管の中を貫通しており、支軸中間ビーズは支軸部の中央に収めるために、ゴム性の軸管がストッパーとして設けられており、
ビーズリングの内径は凡そペニス膨張時の太さに相応し、太さの個人差があっても連結紐の伸縮性で柔軟な装着感を生むことが出来る、
ということを特徴とするペニス補強器具。
【発明の詳細な説明】
【技術分野】
【０００１】  性行為時におけるペニスの補強器具である。
【背景技術】
【０００２】  従来、補強器具はペニスにリングを装着し、太くすることで女性器により強い刺激を与え快感を得る物でした。
【発明の開示】
【発明が解決しようとする課題】
【０００３】  従来の器具には、次のような問題点があった。
従来、補強器具はペニスにリングを装着し、太くすることで女性器により強い刺激を与え、興奮させる事を狙いとしており、加齢による精力減退、中折れ、自信喪失、セックスレスの方への解決策には対応できていない。
【課題を解決する為の手段】
【０００４】  夫々６個の大ビーズと小ビーズを、交互に数珠繋ぎに、伸縮ゴム性の連結紐でリング状に形成された二つのビーズリングが、相互に約６ｃｍ〜７ｃｍの間隔を置いて左右に並立し置いた状態において、各々における一組の対向的な大ビーズ同士が平行的に支軸部で連結され、夫々の支軸の中央部に一個の大ビーズで成る支軸中間ビーズを設けてある。
支軸部において、左右両端の大ビーズを結びつける軸芯は、中央部の支軸中間ビーズの通し穴とその両側を埋めるソフトなゴム性の軸管の中を貫通しており、支軸中間ビーズは左右に設けた軸管に挟まれて支軸部の中央位置に固定されている。
ビーズリングの内径は凡そペニス膨張時の太さに相応し、太さの個人差があっても連結紐の伸縮性で柔軟な装着感を生むことが出来る。
以上を特徴とするペニス補強器具である。
【発明の効果】
【０００５】  この器具はセックス時、加齢による中折れ、精力減退、自信喪失を解消し、セックスレス防止しに役立ち、夫婦生活を円満にし、楽しい人生を過ごすことが出来ます。
【図面の簡単な説明】
【０００６】
【図１】  本発明の斜視図
【図２】  本発明の側面図
【図３】  本発明の正面図
【発明を実施するための最良の形態】
【０００７】  以下、図を参照しつつ本発明の実施例について説明する。
夫々６個の大ビーズ（２）と小ビーズ（３）を、交互に数珠繋ぎに、伸縮ゴム性の連結紐（８）でリング状に形成された二つのビーズリング（１）が、相互に約６ｃｍ〜７ｃｍの間隔を置いて左右に並立し置いた状態において、各々における一組の対向的な大ビーズ（２）同士が平行的に支軸部（４）で連結され、夫々の支軸の中央部に一個の大ビーズ（２）で成る支軸中間ビーズ（６）を設けてある。
支軸部（４）において、左右両端の大ビーズ（２）を結びつける軸芯（５）は、中央部の支軸中間ビーズ（６）の通し穴とその両側を埋めるソフトなゴム性の軸管（７）の中を貫通しており、支軸中間ビーズ（６）は左右に設けた軸管（７）に挟まれて支軸部（４）の中央位置に固定されている。
ビーズリング（１）の内径は凡そペニス膨張時の太さに相応し、太さの個人差があっても連結紐（８）の伸縮性で柔軟な装着感を生むことが出来る。
以上を特徴とするペニス補強器具である。
本発明は以上のような構造で、これを使用するときは、ビーズリングの片方側からペニスを挿入して、他方側を亀頭部根元付近まで装着する。
亀頭の根元辺のビーズリング（１）の位置はペニスの感じ易い亀頭の根元辺から離した所に設置し、女性器と交わる時、前戯に充分時間を掛け、潤った時をみはかり  挿入する。
ペニスが勃起していなくても増強器具は支軸部（４）により、挿入可能で、ペニスに装着した亀頭の根元辺のビーズリング（１）がペニスの亀頭部の役割を果たし、ペニス根元側のビーズリング（１）はペニスを深く挿入することによりクリトリスを刺激し、また、支軸部（４）の中間に設置した支軸中間ビーズ（６）も浅い挿入時、クリトリスに同様の刺激を与えることが出来る。
男性が腰を前後に繰り返し動かすことにより、ビーズリング（１）の太さで女性の興奮が高まり、また、ビーズリング（１）の圧迫がペニスに伝わり、勃起し、男女共に絶頂を迎えることが出来る。
本来、セックスはペニスが勃起し、女性器にペニスを挿入することで始まりますが、この補強器具は逆転発想で女性器を刺激させ、女性の興奮を高めた後、補強器具の力を借りて若い頃以上の逞しいペニスになり、女性ともに絶頂を迎えることが出来る。
【符号の説明】
【０００８】  １  ビーズリング、２  大ビーズ、３  小ビーズ、４  支軸部、５  軸芯、
６  支軸中間ビーズ、７  軸管、８  連結紐
【図１】
2019072437.tif 000003
【図２】
2019072437.tif 000004
【図３】
2019072437.tif 000005
(57)【要約】      （修正有）【課題】裏表を判別し装着を容易にできる新規なコンドームを提供する。【解決手段】コンドーム１の表面に塗料を塗布（配置）することにより文字２や記号からなる識別部を設ける。識別部は、文字２や記号に代えて、数字を用いて構成されてもよい。また、これら文字２、記号、数字のうち少なくとも２つの組み合わせにより識別部が設けられてもよい。その際、識別部文字２や記号等を左右非対称にすることにより、裏返しだと識別部の意味が判別できないことから、なお効果が発揮出来る。【選択図】図１
2019072440.tif 000002
【特許請求の範囲】
【請求項１】
文字、数字および記号のうち少なくとも１つを有する識別部を表面に備えることを特徴とするコンドーム。
【請求項２】
前記載別部が、前記表面に塗料を配置することにより設けられていることを特徴とする、請求項１に記載のコンドーム。
【請求項３】
前記識別部が、前記表面に形成された突起を含むことを特徴とする、請求項１に記載のコンドーム。
【請求項４】
前記識別部が、前記表面の先端部に設けられていることを特徴とする請求項１〜３のいずれか一項に記載のコンドーム。
【請求項５】
前記識別部が、非線対称であることを特徴とする、請求項１〜４のいずれか一項に記載のコンドーム。
【発明の詳細な説明】
【技術分野】
【０００１】本発明はコンドームに関する。
【発明の概要】
【発明が解決しようとする課題】
【０００２】今般の技術革新によりコンドームの厚さは日々薄くなり、コンドームの装着時にその裏表を判別するのが困難であり、装着までに時間を要する、また裏表を間違えて装着を開始した場合そのコンドームは使用出来ず廃棄しなければならない。【０００３】以上に述べたように従来はコンドームの装着時にその裏表を判別するのが困難であり、装着までに時間を要するものであった。本発明は、この様な問題を解決しようとするものであり、コンドームの裏表を判別しコンドームの装着を容易にすることを目的とする。
【課題を解決するための手段】
【０００４】請求項１は、文字、数字および記号のうち少なくとも１つを有する識別部を表面に備えることを特徴とするコンドームである。【０００５】請求項２は前記載別部が、前記表面に塗料を配置することにより設けられていることを特徴とする、請求項１に記載のコンドームである。【０００６】請求項３は前記識別部が、前記表面に形成された突起を含むことを特徴とする、請求項１に記載のコンドームである。【０００７】請求項４は前記識別部が、前記表面の先端部に設けられていることを特徴とする請求項１〜３のいずれか一項に記載のコンドームである。【０００８】請求項５は前記識別部が、非線対称であることを特徴とする、請求項１〜４のいずれか一項に記載のコンドームである。
【発明の効果】
【０００９】  コンドームの表面に識別部を設けておき、コンドーム装着時に、識別部が設けられた表側として装着すれば、容易に装着できるため、裏表を間違うこと無く正しく素早く装着することが出来る。
【図面の簡単な説明】
【００１０】
【図１】表面に塗料を配置された文字の場合の本発明の実施形態
【図２】表面に塗料を配置された記号の場合の本発明の実施形態
【図３】表面に塗料を配置された文字の場合の本発明の巻回状態
【図４】表面に塗料を配置された文字の場合の本発明の半巻回状態
【図５】突起文字の場合の本発明の実施形態
【図６】突起記号の場合の本発明の実施形態
【図７】図３の側面図
【図８】図４の側面図
【発明を実施するための形態】
【００１１】  図１における文字２、図２における記号３に示した通り、コンドーム１の表面に塗料を塗布（配置）することにより文字２や記号３からなる識別部を設ける。識別部は、文字や記号３に代えて、数字を用いて構成されてもよい。また、これら  文字２、記号３、数字のうち少なくとも２つの組み合わせにより識別部が設けられてもよい。
【００１２】また、図５、図７における立体的な文字４を示し、図６、図８における立体的な記号５を示すように、コンドーム１Ａの表面６Ａに突起した立体的な文字４や記号５からなる識別部が設けられてもよい。
【００１３】コンドーム１、１Ａの素材は天然ゴムのものを使用し、図５の立体的な文字４や、図６の立体的な記号５も同様の素材を使用する。
【００１４】図１や図２のコンドーム１、１Ａの表面６、６Ａに付される識別部（文字２や記号３等）を構成する塗料として、人体に影響を与えることが少ないクチナシなどの天然素材の色素が使用される。
【００１５】コンドーム１、１Ａにおいて、識別部が表面６、６Ａの先端部に設けられていることが望ましい。この場合、図３や図４に示すコンドーム１の使用前状態（巻回状態）でも、識別部をユーザーが視認することができる。
【００１６】コンドーム１、１Ａの装着時にその裏表を判別するのが困難で装着までに時間を要し、裏表を間違えて装着をしてしまう可能性がある為コンドームの表面に突起した立体的な文字や記号を作っておき、視覚（図１〜図８）や、触覚（図５〜図８）により裏表が判別出来るようにする。その際、識別部文字２や記号３等を左右非対称にすることにより、裏返しだと識別部の意味が判別できないことから、なお効果が発揮出来る。
【符号の説明】
【００１７】１コンドーム
２文字
３記号
４立体的な文字
５立体的な記号
６コンドームの表面
１Ａコンドーム
６Ａコンドームの表面
【図１】
2019072440.tif 000003
【図２】
2019072440.tif 000004
【図３】
2019072440.tif 000005
【図４】
2019072440.tif 000006
【図５】
2019072440.tif 000007
【図６】
2019072440.tif 000008
【図７】
2019072440.tif 000009
【図８】
2019072440.tif 000010
(57)【要約】【課題】  加熱対象物に予め油分を混ぜる方法や、下層の加熱完了部分を剥がして再度油を塗布することを何度も繰り返す方法を必要とせず、炭化を抑えて均一に加熱する方法を提供する。加熱対象物が食品の場合は、油分の減少により低コレストロール加工化とふわふわの調理加減を両立を提供する。【解決手段】  油塗布器（２）と対流器（１）を設け、加熱容器に油を塗布する。加熱開始後、対流器（１）を加熱容器上で動かし、加熱容器に接触している一層のみを残してそれより上層の加熱対象物を対流させる。また、これらを固定具（７）で加熱容器に固定する。【選択図】図１
2019154424.tif 000002
【特許請求の範囲】
【請求項１】
加熱容器に接触している加熱対象物の一層だけを残して、その上層部を対流させる。
【請求項２】
加熱容器の底面全体に１回だけ油を塗布する。
【請求項３】
加熱容器に対して対流器を上下させ、油塗布と対流器を共用する。
【請求項４】
固定具を用いて汎用の加熱容器に装着できる。
【発明の詳細な説明】
【技術分野】
【０００１】  この発明は、炭化し易い液体を一回の油塗布のみにより、炭化を抑えて加熱容器で加熱する方法、及び器具に関するものである。
【背景技術】
【０００２】  加熱対象物に予め油分を混ぜる方法や、下層の加熱完了部分を剥がして再度油を塗布することを何度も繰り返す方法だった。
【先行技術文献】
【特許文献】
【０００３】
【特許文献１】
【発明の概要】
【発明が解決しようとする課題】
【０００４】  通常の炭化し易い液体を加熱する場合、炭化させずに全体を均一に加熱する事が困難だった。この場合、加熱容器に接触している加熱対象物の層を剥がして、再度加熱容器に油を塗布する、あるいは加熱対象物に予め油分を混ぜる方法が多かった。
【課題を解決するための手段】
【０００５】  油塗布器（２）と対流器（１）を設け、加熱容器に油を塗布する。加熱開始後、対流器（１）を加熱容器上で動かし、加熱容器に接触している一層のみを残してそれより上層の加熱対象物を対流させる。また、本対流装置を固定具（７）で加熱容器に固定する。
【発明の効果】
【０００６】  加熱容器に接触している油によって炭化しにくい層を残してその上層部を対流させる為、加熱対象物に油分を混ぜる必要が無く、一度の油塗布で炭化を抑えて均一に加熱することが可能である。卵焼き等の食品の場合、油分の減少により低コレストロール加工化とふわふわの調理加減を両立させる事が可能である。また、加熱容器に固定具（７）で固定する事により、加熱容器の多様性と設置簡略化を可能にする。
【図面の簡単な説明】
【０００７】
【図１】  本発明の全体図である。
【発明を実施するための形態】
【０００８】  以下、本発明を実施するための形態について説明する。
油塗布器（２）と対流器（１）を設け、加熱容器に油を塗布する。弁（４）を設け一層分の油を自動で塗布できるようにする。基準具（３）に対して対流器（１）の上下稼働機構を設ける。加熱開始後、対流器（１）を加熱容器上で動かし、加熱容器に接触している一層のみを残してそれより上層の加熱対象物を対流させる。また、これらを固定具（７）で加熱容器に固定する。
【符号の説明】
【０００９】  １  対流器
２  油塗布器
３  基準具
４  弁
５  変換器
６  制御部
７  固定具
８  加熱容器
【図１】
2019154424.tif 000003
(57)【要約】      （修正有）【課題】トンネル栽培におけるトンネルの張設作業を手軽に行える作業具を提供する。【解決手段】コイルバネ（８）の一端のバネ端を延長して挟み口（９）とともに挟み体Ａ（２）を形成しながら矢印（１１）の位置まで延長し、挟み体Ｂ（３）で挟み口（９）から取っ手（４）まで一連一体の構成としたテープ張り具。【選択図】図１
2019154425.tif 000002
【特許請求の範囲】
【請求項１】
テープ張り具本体（１）で、コイルバネ（８）の一端のバネ端（ａ）を延長して、挟み体Ａ（２）を形成し、更に挟み口（９）を形成しながら矢印（１１）の位置まで延長し、コイルバネ（８）のもう片方の一端のバネ端（ｂ）は、挟み口（９）から、挟み体Ｂ（３）と一連一体の取っ手（４）に固定し、挟み口（９）の近くの、挟み口（９）の両側でテープはみ出し防止部（１２）を設けたことを特徴とするトンネル栽培のトンネルのテープ張り具。
【発明の詳細な説明】
【技術の分野】
【０００１】本発明はトンネル栽培のトンネルのビニールシートを押さえる為に貼るテープを引っ張る道具に関する。
【背影の技術】
【０００２】これまでもトンネル栽培のトンネルのビニールシートが風で飛ばされなくする為にテープを張って押さえていた。
【先行の技術】
【０００３】特開平１１−３１８１６９  特開２００７−３０２２６３  実開平０７−０２７６９０  実開平０５−０１８２１０
【発明の概要】
【発明が解決しようとする課題】
【０００４】これまでトンネル栽培でトンネルのビニールシートが風で飛ばされなくする為の対策としてトンネルの支柱の根本に杭を打って、その杭にテープを引っかけ、テープを張り押さえてビニールシートを飛ばされなくしていたが、細いテープを一日中、手指と掌で握って引っ張る作業を続けると手も指も痛くなってしまっていた。
【課題を解決する為の手段】
【０００５】図面にもとづいて説明します。（１）は本発明のテープ張り具本体で、（２）は挟み体Ａで（８）はコイルバネで、その一端の（ａ）バネ端を延長して（９）挟み口とともに挟み体Ａ（２）を形成しながら（１１）の矢印の位置まで延長した。（３）は挟み体Ｂで挟み口（９）から（４）の取っ手まで一連一体の構成である。コイルバネ（８）のもう片方の端の（ｂ）バネ端は、取っ手（４）に固定してある。（１２）はテープはみ出し防止部で挟み口（９）の近くでその両側で挟み体Ｂ（３）に設けた。（１０）はトンネルシートを押さえる為に張るテープである。
テープはみ出し防止部（１２）は、挟み口（９）の近くで、その両側で挟み体Ａ（２）の方へ設けることも出来る。これでテープ（１０）を挟み体Ａ（２）の空間から挿入して、矢印（１１）でバネ端（ａ）を押さえて挟み口（９）を開きテープ（１０）を挟み口（９）から引き出し、トンネル支柱の根本の杭に引っ掛けて、取っ手（４）を掴み持って挟み口（９）でテープ（１０）をコイルバネ（８）の反発力で保持しながらテープ張り具本体（１）を引っ張れば力強く引っ張れて楽にテープ（１０）が張れる。更に、テープはみ出し防止部（１２）が、挟み口（９）の近くで、その挟み口（９）の両側で設けてあるから、横にテープ（１０）が、はみ出すことなく作業できる。
【発明の効果】
【０００６】前述の如く、本発明のテープ張り具を用いてテープを引っ張ると取っ手（４）が掴み易く、したがってテープ（１０）に力を伝え易く、挟み口（９）でテープ（１０）をコイルバネ（８）の力で保持しているから従来の様に手指と掌で握って引っ張るよりは力を入れ易いし楽で作業効率が上る。
【実施例】
【０００７】図２は実施例で、挟み体Ａ（イ２）を板状とし、その両側辺に下垂部（イ５）を設け、下垂部（イ５）に迎合する突辺部（イ６）を挟み体Ｂ（イ３）の両側辺に設け、下垂部（イ５）及び突辺部（イ６）のその両側辺の間にコイルバネ（８）を納めて軸芯（７）で貫通してカシメた。
テープはみ出し防止部（イ１２）を挟み口（イ９）近くで両側に設けた。
【図面の簡単な説明】
【０００８】
【図１】本発明の斜視図である。
【図２】実施例の斜視図である。
【産業上利用の可能性】
【符号の説明】
【０００９】（１）及び（イ１）は、テープ張り具本体。
（２）及び（イ２）は、挟み体Ａ。
（３）及び（イ３）は、挟み体Ｂ。
（４）及び（イ４）は、取っ手。
（イ５）は、下垂部。（イ６）は、突辺部。（イ７）は、軸芯。
（８）及び（イ８）は、コイルバネ。
（９）及び（イ９）は、挟み口。
（１０）及び（イ１０）は、テープ。
（１１）及び（イ１１）は、矢印。
（１２）及び（イ１２）は、テープはみ出し防止部。
【図１】
2019154425.tif 000003
【図２】
2019154425.tif 000004
【手続補正書】
【提出日】平成30年5月21日(2018.5.21)
【手続補正１】
【補正対象書類名】図面
【補正対象項目名】図１
【補正方法】変更
【補正の内容】
【図１】
2019154425.tif 000005